(57)【要約】【課題】ファンの非作動時はラジエータへの良好な風通しを得ることができ、ファンの作動時はファンからの送風をラジエータに十分当てることができる送風装置を提供することである。【解決手段】送風装置１００は、変圧器に用いられる冷却剤を冷却するためのラジエータ４０に送風する送風装置である。送風装置１００は、ファン１１０、仕切り板１２０、ボルト１３４、ブラケット１３２及びストッパー１３８を備えている。仕切り板１２０は、ファン１１０による送風Ｗ１の送風方向から見ると、ファン１１０を挟むように少なくとも２枚存在し、送風Ｗ１を受けると、ボルト１３４を中心に回転し、ブラケット１３２又はストッパー１３８は、仕切り板１２０の主面Ｓ１が送風Ｗ１の送風方向に沿って停止するような位置に設けられている。【選択図】図２
2017180182.tif 000002
【特許請求の範囲】
【請求項１】
変圧器に用いられる冷却剤を冷却するためのラジエータに送風する送風装置であって、
前記ラジエータに向かって送風するファンと、
前記ラジエータの周囲に位置する板状の仕切り板と、
前記仕切り板を回転させるために前記仕切り板に取り付けられた回転軸と、
前記仕切り板が回転した際に、前記仕切り板に接触して、前記仕切り板の回転を止める第１のストッパーと、
を備え、
前記仕切り板は、前記ファンによる送風の送風方向から見ると、前記ファンを挟むように少なくとも２枚存在し、前記ファンからの送風を受けると、前記回転軸を中心に回転し、
前記第１のストッパーは、前記仕切り板の主面が前記ファンからの送風の送風方向に沿って停止するような位置に設けられていること、
を特徴とする送風装置。
【請求項２】
前記ファンの非作動時において、前記仕切り板の位置決めをする第２のストッパーをさらに備え、
前記ファンは、前記ラジエータに対して鉛直下側に位置し、
前記仕切り板は、前記ファンの非作動時は、前記第２のストッパーにより、前記主面が水平方向と略平行となる位置で停止していること、
を特徴とする請求項１に記載の送風装置。
【請求項３】
前記仕切り板は、前記ファンからの送風の送風方向に沿うように、複数設けられていること、
を特徴とする請求項１に記載の送風装置。
【発明の詳細な説明】
【技術分野】
【０００１】
この発明は、変圧器に用いられる冷却剤を冷却するためのラジエータに送風する送風装置に関する。
【背景技術】
【０００２】
変圧器は、その冷却を目的として、絶縁油と呼ばれる油や特定のガス（以下で、冷却剤と称す）で満たされたタンクに収納されている。この冷却剤は、変圧器が収納されたタンクと、該タンクに接続されたラジエータとを循環しており、該ラジエータにて熱を放出し、タンクに戻る。また、ラジエータには、冷却性能を向上させるために、該ラジエータに送風するファンが取り付けられている場合がある。そして、このファンからの送風が周囲に広がることなく、ラジエータに十分に当たるように、特許文献１に記載の油入電気器の冷却装置では、ラジエータの周囲に、ファンからの送風を整流する仕切り板が設けられている。
【先行技術文献】
【特許文献】
【０００３】
【特許文献１】特開昭６２−２２４９０７号公報
【発明の概要】
【発明が解決しようとする課題】
【０００４】
しかし、上記のように仕切り板を設けた冷却装置（以下で、従来の冷却装置と称す）では、仕切り板の主面をファンの送風方向に沿うように設けた結果、ファンの送風方向と直行する方向からラジエータに向かう空気の流れを該仕切り板が妨げてしまう。これにより、ファンの非作動時において、ラジエータへの風通しが悪くなってしまうという課題があった。
【０００５】
本発明の目的は、ファンの非作動時はラジエータへの良好な風通しを得ることができ、ファンの作動時はファンからの送風をラジエータに十分当てることができる送風装置を提供することである。
【課題を解決するための手段】
【０００６】
本発明の一形態に係る送風装置は、変圧器に用いられる冷却剤を冷却するためのラジエータに送風する送風装置であって、ラジエータに向かって送風するファンと、ラジエータの周囲に位置する板状の仕切り板と、仕切り板を回転させるために仕切り板に取り付けられた回転軸と、仕切り板が回転した際に、仕切り板に接触して、仕切り板の回転を止める第１のストッパーと、を備え、仕切り板は、ファンによる送風の送風方向から見ると、ファンを挟むように少なくとも２枚存在し、ファンからの送風を受けると、回転軸を中心に回転し、第１のストッパーは、仕切り板の主面がファンからの送風の送風方向に沿って停止するような位置に設けられている。
【発明の効果】
【０００７】
上記のように構成された送風装置では、ファンの非作動時はラジエータへの良好な風通しを得ることができ、ファンの作動時はファンからの送風をラジエータに十分当てることができる。
【図面の簡単な説明】
【０００８】
【図１】一実施形態である送風装置に係るタンク及び放熱装置の概略図である。
【図２】一実施形態である送風装置に係る放熱装置の正面図である。
【図３】一実施形態である送風装置に係る放熱装置の側面図である。
【図４】一実施形態である送風装置の仕切り板の取り付け構造を示す図である。
【図５】ファンの非作動時における一実施形態である送風装置の仕切り板の状態を表す図である。
【図６】ファンの非作動時における一実施形態である送風装置の仕切り板の可動域を示す図である。
【図７】ファンの作動時における一実施形態である送風装置の仕切り板の状態を表す図である
【図８】ファンの非作動時における一実施形態である送風装置の状態を表す図である。
【図９】ファンの作動時における一実施形態である送風装置の状態を表す図である。
【図１０】その他の実施形態に係る送風装置のブラケットの形状を示す図である。
【発明を実施するための形態】
【０００９】
以下では、一実施形態である送風装置について、各図を参照しながら説明する。なお、各図において、ヘッダー５０が伸びる方向をｚ軸方向、上下方向をｙ軸、ｙ軸及びｚ軸と直行する方向をｘ軸で表す。
【００１０】
（送風装置が取り付けられる放熱装置の概略構成）
送風装置１００は、図１に示される、変圧器が収まったタンク１０に接続された放熱装置２０に備え付けられている。
【００１１】
放熱装置２０は、変圧器の冷却のためにタンク１０に充填された絶縁油や特定のガス等冷却剤を冷却するための冷却装置である。従って、放熱装置２０には、連通管３０を介して、タンク１０から冷却剤が送り込まれる。また、放熱装置２０は、図２に示すように、ラジエータ４０、ヘッダー５０及び送風装置１００を備える。
【００１２】
ラジエータ４０は、２枚の鋼板を重ねて、それらの間に隙間ができるように、該２枚の鋼板をシーム溶接等で接合した中空の部材である。また、ラジエータ４０の上下は、円筒状のヘッダー５０と接続されている。そして、ヘッダー５０は、連通管３０と接続されている。これにより、連通管３０から放熱装置２０に送り込まれた冷却剤は、上部のヘッダー５０からラジエータ４０の中空部分に流入し、ラジエータ４０で放熱し、下部のヘッダー５０から、連通管３０を介して、再びタンク１０へ戻る。
【００１３】
本実施形態において、一本のヘッダー５０には、図３に示すように、ヘッダー５０が伸びる方向（ｚ軸方向）に８つのラジエータ４０が接続されている。また、８つのラジエータ４０とこれらに接続された１本のヘッダー５０を１つの放熱器２２として、本実施形態に係る放熱装置２０では、図２に示すように、合計４セットの放熱器２２を備えている。４つの放熱器２２は、水平方向と平行かつヘッダー５０が伸びる方向と直行する方向（ｘ軸方向）と平行となるように並んで配置されている。
【００１４】
（送風装置の構成）
送風装置１００は、ラジエータ４０における冷却剤の放熱をより効率的に行うために、ラジエータ４０に向かって送風する装置である。送風装置１００は、図２に示すように、ファン１１０、仕切り板１２０、仕切り板支持具１３０により構成されている。
【００１５】
ファン１１０は、放熱装置２０の鉛直方向（ｙ軸方向）下側に取り付けられ、ここからラジエータ４０に向かって送風している。つまり、ファン１１０は、鉛直方向上側に向かって送風する。ファン１１０は、例えば、冷却剤の温度を検知する温度センサが所定の温度以上の温度を検知すると、その信号により作動を開始する。また、ファン１１０は、各放熱器２２に一つ取り付けられている。従って、本実施形態に係る放熱装置２０には、合計４つのファン１１０が取り付けられている。
【００１６】
仕切り板１２０は、アルミなどから成る長方形状の平板であり、該仕切り板１２０が成す長方形は、ｚ軸方向をその長辺とする。また、仕切り板１２０は、放熱装置２０におけるｘ軸方向の両側に設けられている。ここで、上述のように、ファン１１０は、放熱装置２０のｙ軸方向の下側に設けられているから、仕切り板１２０及びファン１１０をｙ軸方向から見ると、仕切り板１２０は、ファン１１０を挟むように存在している。さらに、仕切り板１２０は、放熱装置２０におけるｘ軸方向の両側それぞれに１８枚、ｙ軸方向に整列するように設けられている。
【００１７】
仕切り板支持具１３０は、仕切り板１２０を支えるための部材であり、図４に示すように、ブラケット１３２、ボルト１３４、ナット１３５、ベアリング１３６、ワッシャー１３７、ストッパー１３８、ボルト１３９から構成されている。
【００１８】
ブラケット１３２は、棒状の部材であり、その一端が上部のヘッダー５０に取り付けられ、他端が下部のヘッダー５０に取り付けられている。また、ブラケット１３２は、放熱装置２０の四隅に設けられている。つまり、放熱装置２０には４つのブラケット１３２が取り付けられている。そして、ブラケット１３２をｚ軸方向から見ると、図２に示すように、コの字型を成しており、該コの字の開口部は、ラジエータ４０側を向いている。
【００１９】
ボルト１３４は、仕切り板１２０をブラケット１３２に取り付ける部材であるとともに、仕切り板１２０の回転軸でもある。ボルト１３４は、図４に示すように、仕切り板１２０の角部分に設けられたｚ軸方向に延びる孔Ｈ１、及びブラケット１３２に設けられたｚ軸方向に延びる孔Ｈ２に、ｚ軸方向の一方側から挿入され、他方側からナット１３５で固定される。これにより、仕切り板１２０がブラケット１３２に取り付けられる。
【００２０】
ここで、一枚の仕切り板１２０は、図３に示すように、仕切り板支持具１３０によりｚ軸方向の両側から支えられている。つまり、一枚の仕切り板１２０は、２つのブラケット１３２に支えられている。また、一つのブラケット１３２には、孔Ｈ２が１８個設けられている。これにより、１８枚の仕切り板１２０が、ｙ軸方向に向かって整列するように配置される。さらに、ボルト１３４で仕切り板１２０をブラケット１３２に取り付けた後も、該仕切り板１２０が、ボルト１３４を回転軸として回転できるように、ボルト１３４の長さは、仕切り板１２０に設けられた孔Ｈ１の深さとブラケット１３２に設けられた孔Ｈ２の深さの和よりも長い。これに加え、仕切り板１２０が、ボルト１３４を回転軸として回転した際の摩擦を軽減するため、図４に示すように、孔Ｈ１にはベアリング１３６が設けられている。なお、ボルト１３４と仕切り板１２０との間、仕切り板１２０とブラケット１３２との間、及びブラケット１３２とナット１３５との間には、ワッシャー１３７が１枚ずつ位置している。
【００２１】
ストッパー１３８は、仕切り板１２０を鉛直方向の下側から支えるための棒状の部材である。ストッパー１３８は、ブラケット１３２にボルト１３９により取り付けられている。また、ストッパー１３８は、ｚ軸方向から見たとき、図５に示すように、ｘ軸方向と約４５度の角度で、ラジエータ４０側に向かって上向きに伸びている。なお、ストッパー１３８は、１つのブラケット１３２に取り付けられる仕切り板１２０の枚数に合わせて、１つのブラケット１３２あたり１８個取り付けられている。
【００２２】
以上のように構成された仕切り板支持具１３０により、仕切り板１２０は、鉛直方向上側からラジエータ４０側に向かって、図６に示すように、中心角が約９０度の扇形を描くように回転することが可能である。そして、ファン１１０が非作動のときは、仕切り板１２０は、図５に示すように、その主面Ｓ１を水平方向とほぼ平行にして、ストッパー１３８により鉛直方向の下側から支えられている。また、ファン１１０が作動すると、図７に示すように、ファン１１０からの送風を受けて、ボルト１３４を中心に回転する。
【００２３】
ただし、仕切り板１２０は、鉛直方向上側から先、つまり、ラジエータ４０と反対側には回転しない。これは、仕切り板１２０がラジエータ４０と反対側に回転しようとしても、ブラケット１３２又は、該仕切り板１２０の上に位置するストッパー１３８と接触するためである。つまり、ブラケット１３２又はストッパー１３８は、本実施形態において、仕切り板１２０が鉛直方向上側からラジエータ４０と反対側に回転しようとした際に、仕切り板１２０の回転を止めるストッパーの役割も果たしている。
【００２４】
（効果）
一実施形態である送風装置１００では、ファン１１０の非作動時はラジエータ４０への良好な風通しを得ることができ、ファン１１０の作動時はファン１１０からの送風をラジエータ４０に十分当てることができる。具体的には、一実施形態である送風装置１００では、上述のとおり、ファン１１０の非作動時は、仕切り板１２０は、その主面Ｓ１を水平方向とほぼ平行にして停止している。この場合、図８に示すように、ファン１１０の送風方向と直行する方向からラジエータ４０に向かう空気の流れＦ１を仕切り板１２０が遮るということはない。
【００２５】
また、送風装置１００では、ファン１１０が作動すると、図９に示すように、仕切り板１２０は、そのファン１１０からの送風W１により、ボルト１３４を中心に鉛直方向上側に向かって回転し、鉛直方向上側を向いた状態で停止する。ここで、ファン１１０の送風方向は鉛直方向上向きだから、仕切り板１２０の主面Ｓ１はファン１１０の送風方向に沿っていることになる。そして、仕切り板１２０の主面Ｓ１がファン１１０の送風方向に沿うことで、仕切り板１２０は、ファン１１０からの送風が通過する流路を形成する壁となる。従って、仕切り板１２０が、ファン１１０からの送風が周囲に広がることを抑制し、ファン１１０からの送風をラジエータ４０に十分当てることができる。
【００２６】
さらに、一実施形態である送風装置１００では、ファン１１０が非作動のときは、仕切り板１２０は、図５に示すように、その主面Ｓ１を水平方向とほぼ平行にして、ストッパー１３８により鉛直方向の下側から支えられている。また、ファン１１０をラジエータ４０に対して鉛直下側に配置して、鉛直方向上向きに送風するようにしている。このように、ストッパー１３８及びファン１１０を配置したことで、仕切り板１２０は、ファン１１０からの送風を動力として回転することできる。つまり、一実施形態である送風装置１００では、仕切り板１２０を回転させるために、新たな駆動装置を設ける必要がない。
【００２７】
これに加え、一実施形態である送風装置１００では、複数枚の仕切り板１２０が、ファン１１０からの送風が通過する流路を形成するための壁を構成している。これは、１枚の仕切り板１２０のみでファン１１０からの送風が通過する流路を形成するための壁を構成する場合と比較して、仕切り板１２０の回転の際に必要とするスペースを削減できる。
【００２８】
（その他の実施形態）
本発明に係る送風装置は、前記実施の形態に限らずその要旨の範囲内において変更可能である。例えば、仕切り板１２０を取り付けるためのブラケット１３２に設けられる孔Ｈ２は、図５に示すように、ラジエータ方向に飛び出た位置に設けた位置に設けてもよいし、図１０に示すように、ブラケット１３２における下部のヘッダー５０から上部のヘッダー５０に向かう本体部分に設けてもよい。また、ファン１１０の作動時において、その主面Ｓ１がファン１１０の送風方向と完全に平行である必要はなく、ファン１１０の送風方向と沿うように停止していればよい。
【符号の説明】
【００２９】
Ｓ１  主面、Ｗ１  送風、１０  タンク、２０  放熱装置、３０  連通管、
４０  ラジエータ、５０  ヘッダー、１００  送風装置、１１０  ファン、
１２０  仕切り板、１３０  仕切り板支持具、１３２  ブラケット、１３４  ボルト、
１３８  ストッパー。
【図１】
2017180182.tif 000003
【図２】
2017180182.tif 000004
【図３】
2017180182.tif 000005
【図４】
2017180182.tif 000006
【図５】
2017180182.tif 000007
【図６】
2017180182.tif 000008
【図７】
2017180182.tif 000009
【図８】
2017180182.tif 000010
【図９】
2017180182.tif 000011
【図１０】
2017180182.tif 000012